【手続補正書】
【提出日】平成15年11月11日(2003.11.11)
【手続補正１】
【補正対象書類名】明細書
【補正対象項目名】特許請求の範囲
【補正方法】変更
【補正の内容】
【特許請求の範囲】
【請求項１】
データ収集時に携帯し、計器から読み取ったデータを一時的にデータバッファへ保存させるデータ入力手段と、このデータ入力手段によってデータバッファへ保存されたデータを送信要求によってデータバッファのデータを送信するデータ送信手段とを有する可搬式収集装置と、前記可搬式収集装置によって収集したデータを受信し、データベースへ蓄積させるデータ受信手段と、前記データベースへ蓄積されたデータを抽出要求に応じて抽出する蓄積データ抽出手段と、抽出されたデータを加工して表示させる蓄積データ表示手段とを有するデータ蓄積装置とを具備するデータ収集蓄積装置において、
前記データバッファに保存されるデータを履歴データとして計器に対応づけて所定収集回数保存可能なローカルデータベースへデータ収集毎に保存させるデータ保存手段と、前記ローカルデータベースへ保存された履歴データを前記計器によって抽出するデータ抽出手段と、このデータ抽出手段によって抽出された履歴データと今回のデータとを対比して表示装置へ表示させるデータ表示手段とを前記可搬式収集装置に備えることを特徴とするデータ収集蓄積装置。
【請求項２】
前記可搬式収集装置は、複数のパトロールルートとこのパトロールルートにおける作業手順を予め保存するパトロール手順データベースと、前記パトロール手順データベースの前記複数のパトロールルートの中から選択されたパトロールルートの作業手順を順次取出す手段と、この手段によって取出されたパトロールルートの作業手順を表示装置へ表示させる手段とを付加することを特徴とする請求項１記載のデータ収集蓄積装置。
【請求項３】
前記データ蓄積装置は、過去の蓄積データの計器と参照期間とを指定した蓄積データの要求があったとき、前記蓄積データ抽出手段によって抽出された蓄積データを送信する蓄積データ送信手段とを設ける一方、
前記可搬式収集装置は、前記蓄積データの要求により前記蓄積データ送信手段から蓄積データを受信して前記データ表示手段へ出力する蓄積データ受信手段とを設けることを特徴とする請求項１記載のデータ収集蓄積装置。
【請求項４】
プラントのデータ収集時に携帯し、計器から読み取ったデータを一時的にデータバッファへ保存させるデータ入力手段と、このデータ入力手段によってデータバッファへ保存されたデータを送信要求されたとき送信するデータ送信手段とを有する可搬式収集装置と、前記可搬式収集装置によって収集したデータを受信し、データベースへ蓄積させるデータ受信手段と、前記データベースへ蓄積されたデータを抽出要求に応じて抽出する蓄積データ抽出手段と、入力装置を介して前記蓄積データ抽出手段へ前記データの抽出要求を行うと共に、抽出されたデータを加工して表示させる蓄積データ表示手段とを有するデータ蓄積装置とを具備するデータ収集蓄積装置において、
前記可搬式収集装置は、前記データ送信手段から送られるデータを無線信号により送信する無線通信装置と、計器から指示値を読み込みディジタル値に変換し、このディジタル値から所定回数の測定における最大値と最小値と平均値とを求めて得られるこれらのデータをデータバッファへ保存させるデータ読み込み手段とを備えることを特徴とするデータ収集蓄積装置。
【請求項５】
必要な引継ぎメッセージをメッセージファイルに入力する一方、要求に従ってメッセージファイルから前記引継ぎメッセージを取り出して表示するようにしたことを特徴とする請求項１記載のデータ収集蓄積装置。
【請求項６】
プラントのデータ収集時に携帯し、計器から読み取ったデータを一時的にデータバッファへ保存させるデータ入力手段と、このデータ入力手段によってデータバッファへ保存されたデータを送信要求されたときデータバッファのデータを送信するデータ送信手段とを有する可搬式収集装置と、前記可搬式収集装置によって収集したデータを受信し、データをデータベースへ蓄積させるデータ受信手段と、前記データベースへ蓄積されたデータを抽出要求に応じて抽出する蓄積データ抽出手段と、前記蓄積データ抽出手段へ前記データの抽出要求を行うと共に、抽出されたデータを加工して表示させる蓄積データ表示手段とを有するデータ蓄積装置とを具備するデータ収集蓄積装置において、
前記可搬式収集装置は、現場の映像情報を入力する手段と、この映像情報を映像信号とする処理を行う信号入力装置と、この信号入力装置による映像信号を読み込み前記データバッファに保存可能とする映像信号読み込み手段とを設ける一方、
前記データ蓄積装置は、前記蓄積データに加えて前記映像信号による映像データをデータベースへ蓄積可能とすると共に、前記データベースから必要な映像データを抽出して表示装置へ出力可能とする手段を設けることを特徴とするデータ収集蓄積装置。
【手続補正２】
【補正対象書類名】明細書
【補正対象項目名】００１７
【補正方法】変更
【補正の内容】
【００１７】
【課題を解決するための手段】
請求項１の発明は、データ収集時に携帯し、計器から読み取ったデータを一時的にデータバッファへ保存させるデータ入力手段と、このデータ入力手段によってデータバッファへ保存されたデータを送信要求によってデータバッファのデータを送信するデータ送信手段とを有する可搬式収集装置と、前記可搬式収集装置によって収集したデータを受信し、データベースへ蓄積させるデータ受信手段と、前記データベースへ蓄積されたデータを抽出要求に応じて抽出する蓄積データ抽出手段と、抽出されたデータを加工して表示させる蓄積データ表示手段とを有するデータ蓄積装置とを具備するデータ収集蓄積装置において、前記データバッファに保存されるデータを履歴データとして計器に対応づけて所定収集回数保存可能なローカルデータベースへデータ収集毎に保存させるデータ保存手段と、前記ローカルデータベースへ保存された履歴データを前記計器によって抽出するデータ抽出手段と、このデータ抽出手段によって抽出された履歴データと今回のデータとを対比して表示装置へ表示させるデータ表示手段とを前記可搬式収集装置に備えるようにしたものである。この手段によれば、現場パトロール員が計器の値を読み取るとき、同じ計器Ｎｏ．を指定すると今回より前の履歴データが抽出されて現場パトロール員へ知らされる。現場パトロール員は、表示される履歴データと今回のデータとを比較してデータの異常の有無を確認後に今回の読取りデータを入力する。従って、入力する対象の読取りデータの桁の間違いや、別の計器の値を読んだ等のミスがあれば、何らかの異常を入力する前に把握することができ、データ入力後に不正データを発見し、再データ収集する等を余儀無くされる等の問題が解消できる。


【手続補正３】
【補正対象書類名】明細書
【補正対象項目名】００１８
【補正方法】変更
【補正の内容】
【００１８】
請求項２の発明は、請求項１記載のデータ収集蓄積装置において、可搬式収集装置は、複数のパトロールルートとこのパトロールルートにおける作業手順を予め保存するパトロール手順データベースと、前記パトロール手順データベースの前記複数のパトロールルートの中から選択されたパトロールルートの作業手順を順次取出す手段と、この手段によって取出されたパトロールルートの作業手順を表示装置へ表示させる手段とを付加するようにしたものである。この手段によれば、あらかじめ保存されたパトロールの作業が作業の進行に従って順次表示される。従って、メモ等に記したり、記憶を頼りにパトロールすることがなく、パトロール作業手順の誤りがなく、パトロールが円滑に進行できるので、パトロールが最短時間で行える。


【手続補正４】
【補正対象書類名】明細書
【補正対象項目名】００１９
【補正方法】変更
【補正の内容】
【００１９】
請求項３の発明は、請求項１記載のデータ収集蓄積装置において、データ蓄積装置は、過去の蓄積データの計器と参照期間とを指定した蓄積データの要求があったとき、前記蓄積データ抽出手段によって抽出された蓄積データを送信する蓄積データ送信手段とを設ける一方、前記可搬式収集装置は、前記蓄積データの要求により前記蓄積データ送信手段から蓄積データを受信して前記データ表示手段へ出力する蓄積データ受信手段とを設けるようにしたものである。この手段によれば、可搬式収集装置を用いてデータ収集しているとき、過去の蓄積されたデータを可搬式収集装置からの要求に応じて表示することができる。これにより、過去の多量のデータを参照することができるので、収集するデータとの比較による判断が早期に正確にできる。


【手続補正５】
【補正対象書類名】明細書
【補正対象項目名】００２０
【補正方法】変更
【補正の内容】
【００２０】
請求項４の発明は、プラントのデータ収集時に携帯し、計器から読み取ったデータを一時的にデータバッファへ保存させるデータ入力手段と、このデータ入力手段によってデータバッファへ保存されたデータを送信要求されたとき送信するデータ送信手段とを有する可搬式収集装置と、前記可搬式収集装置によって収集したデータを受信し、データベースへ蓄積させるデータ受信手段と、前記データベースへ蓄積されたデータを抽出要求に応じて抽出する蓄積データ抽出手段と、入力装置を介して前記蓄積データ抽出手段へ前記データの抽出要求を行うと共に、抽出されたデータを加工して表示させる蓄積データ表示手段とを有するデータ蓄積装置とを具備するデータ収集蓄積装置において、前記可搬式収集装置は、前記データ送信手段から送られるデータを無線信号により送信する無線通信装置と、計器から指示値を読み込みディジタル値に変換し、このディジタル値から所定回数の測定における最大値と最小値と平均値とを求めて得られるこれらのデータをデータバッファへ保存させるデータ読み込み手段とを備えるようにしたものである。この手段によれば、可搬式収集装置によって入力されたデータが無線通信装置によって無線信号に変換され送信され、無線アンテナで受信され通信回線を経てデータ蓄積装置へ送られる。これによって、通信回線の接続部まで可搬式収集装置を持っていかなくてもその場からデータを送信することができる。従って、特に広い地域のパトロールの場合に便利で、また、通信回線を広範囲に張り巡らす必要がなくなる。その上、現場計器の指示値を人手を介して読み入力する手間を要することなく直接入力できるので、緊急時に迅速に、かつ、正確にそのままオンラインで送れる利点があり、人為的ミスを減少できる。


【手続補正６】
【補正対象書類名】明細書
【補正対象項目名】００２１
【補正方法】変更
【補正の内容】
【００２１】
請求項５の発明は、請求項１記載のデータ収集蓄積装置において、必要な引継ぎメッセージをメッセージファイルに入力する一方、要求に従ってメッセージファイルから前記引継ぎメッセージを取り出して表示するようにしたことである。この手段によれば、現場パトロール員はパトロール中に随時必要な引継ぎメッセージを入力し、次の現場パトロール員は、交代後に引継ぎメッセージを表示画面上で知ることが出き、引継ぎ事項をメモ等で残すのに比べて、引継ぎ業務が確実になる。


【手続補正７】
【補正対象書類名】明細書
【補正対象項目名】００２２
【補正方法】変更
【補正の内容】
【００２２】
請求項６の発明は、プラントのデータ収集時に携帯し、計器から読み取ったデータを一時的にデータバッファへ保存させるデータ入力手段と、このデータ入力手段によってデータバッファへ保存されたデータを送信要求されたときデータバッファのデータを送信するデータ送信手段とを有する可搬式収集装置と、前記可搬式収集装置によって収集したデータを受信し、データをデータベースへ蓄積させるデータ受信手段と、前記データベースへ蓄積されたデータを抽出要求に応じて抽出する蓄積データ抽出手段と、前記蓄積データ抽出手段へ前記データの抽出要求を行うと共に、抽出されたデータを加工して表示させる蓄積データ表示手段とを有するデータ蓄積装置とを具備するデータ収集蓄積装置において、前記可搬式収集装置は、現場の映像情報を入力する手段と、この映像情報を映像信号とする処理を行う信号入力装置と、この信号入力装置による映像信号を読み込み前記データバッファに保存可能とする映像信号読み込み手段とを設ける一方、前記データ蓄積装置は、前記蓄積データに加えて前記映像信号による映像データをデータベースへ蓄積可能とすると共に、前記データベースから必要な映像データを抽出して表示装置へ出力可能とする手段を設けるようにしたものである。この手段によれば、計器の読取り値のデータの収集に加えて、現場の映像情報が収集され映像データが蓄積できる。これにより、計器の読取り値で把握できない事象も収集され蓄積できるので、広範囲の現場の状況に関するデータを収集することができる。